(57)【特許請求の範囲】
【請求項１】
読み取り可能な情報記録マークとして情報が記録される記録媒体層を有し、メイン情報と次のクラスタの移動情報とからクラスタを構成し、メイン情報がクラスタ単位に分割されて上記記録媒体層に記録されていることを特徴とする情報記録媒体。
【請求項２】
方形状の情報記録媒体であって、マトリクス状に配列された情報記録マークとして、メイン情報がクラスタ単位に分割されて上記記録媒体層に記録されていることを特徴とする請求項１記載の情報記録媒体。
【請求項３】
円盤状の情報記録媒体であって、同心円上に配列された情報記録マークとして、メイン情報がクラスタ単位に分割されて上記記録媒体層に記録されていることを特徴とする請求項１記載の情報記録媒体。
【請求項４】
テープ状の情報記録媒体であって、傾斜トラック上に配列された情報記録マークとして、メイン情報がクラスタ単位に分割されて上記記録媒体層に記録されていることを特徴とする請求項１記載の情報記録媒体。
【請求項５】
上記次のクラスタの移動情報が一筆書き関数に基づいて決定されていることを特徴とする請求項１記載の情報記録媒体。
【請求項６】
上記次のクラスタの移動情報が乱数に基づいて決定されていることを特徴とする請求項１記載の情報記録媒体。
【請求項７】
読み取り可能な情報記録マークとして情報が記録される記録媒体層を有する情報記録媒体に対し、メイン情報と次のクラスタの移動情報とからクラスタを構成し、メイン情報をクラスタ単位に分割して上記記録媒体層に記録することを特徴とする情報記録方法。
【請求項８】
読み取り可能な情報記録マークとして情報が記録される記録媒体層を有し、メイン情報と次のクラスタの移動情報とからクラスタを構成し、メイン情報がクラスタ単位に分割されて上記記録媒体層に記録されている情報記録媒体からメイン情報を再生する情報再生方法であって、
先頭クラスタを特定する再生許可情報に基づいて、上記情報記録媒体から先頭クラスタに含まれる次のクラスタの移動情報を読み取り、上記移動情報に基づいて上記情報記録媒体から次のクラスタに含まれるメイン情報と次のクラスタの移動情報を読み取り、上記情報記録媒体から各クラスタのメイン情報を順次読み取って再生することを特徴とする情報再生方法。
【請求項９】
読み取り可能な情報記録マークとして情報が記録される記録媒体層を有する情報記録媒体に対し、メイン情報と次のクラスタの移動情報とからクラスタを構成し、
メイン情報をクラスタ単位に分割して上記記録媒体層に記録し、
先頭クラスタを特定する再生許可情報に基づいて、上記情報記録媒体から先頭クラスタに含まれる次のクラスタの移動情報を読み取り、
上記移動情報に基づいて上記情報記録媒体から次のクラスタに含まれるメイン情報と次のクラスタの移動情報を読み取り、
上記情報記録媒体から各クラスタのメイン情報を順次読み取って再生することを特徴とする情報記録再生方法。
【請求項１０】
情報が読み取り可能な情報記録マークとして記録される記録媒体層を有する情報記録媒体に対し、メイン情報をクラスタ単位に分割して上記記録媒体層に記録する情報記録装置であって、
メイン情報をクラスタ単位に分割する分割手段と、上記分割手段により分割されたクラスタ単位のメイン情報に次のクラスタの移動情報を付加する移動情報付加手段と、
上記移動情報付加手段により次のクラスタの移動情報が付加されたクラスタ単位のメイン情報を上記情報記録媒体の記録媒体層に記録する情報記録手段とを備え、
メイン情報と次のクラスタの移動情報とからクラスタを構成し、メイン情報をクラスタ単位に分割して上記記録媒体層に記録することを特徴とする情報記録装置。
【請求項１１】
読み取り可能な情報記録マークとして情報が記録される記録媒体層を有し、メイン情報と次のクラスタの移動情報とからクラスタを構成し、メイン情報がクラスタ単位に分割されて上記記録媒体層に記録されている情報記録媒体からメイン情報を再生する情報再生装置であって、
先頭クラスタを特定する再生許可情報に基づいて、上記情報記録媒体から先頭クラスタに含まれるメイン情報と次のクラスタの移動情報を読み取り、上記移動情報に基づいて上記情報記録媒体から次のクラスタに含まれるメイン情報と次のクラスタの移動情報を読み取る情報読み取り手段を備え、
上記情報読み取り手段により、次のクラスタの移動情報に基づいて、上記情報記録媒体から各クラスタのメイン情報を順次読み取って再生することを特徴とする情報再生装置。
【請求項１２】
読み取り可能な情報記録マークとして情報が記録される記録媒体層を有する情報記録媒体に対し、メイン情報と次のクラスタの移動情報とからクラスタを構成し、メイン情報をクラスタ単位に分割して上記記録媒体層に書き込む情報書き込み手段と、
先頭クラスタを特定する再生許可情報に基づいて、上記情報記録媒体から先頭クラスタに含まれる次のクラスタの移動情報を読み取り、上記移動情報に基づいて上記情報記録媒体から次のクラスタに含まれるメイン情報と次のクラスタの移動情報を読み取り、上記情報記録媒体から各クラスタのメイン情報を順次読み取って再生する情報読み取り手段とを備えることを特徴とする情報記録再生装置。
【発明の詳細な説明】
【０００１】
【発明の属する技術分野】
本発明は、音楽や映像等の各種コンテンツからなるメイン情報が記録される情報記録媒体、その情報記録／再生方法並びに情報記録／再生装置に関する。
【０００２】
【従来の技術】
音楽や映像等の各種コンテンツの電子化情報は、近年、機器の多機能化や高性能化或いは高容量処理化等の開発促進、画像圧縮技術等の処理技術の向上、インターネット等による利用環境の整備或いは処理速度や通信速度の向上等によって利用促進が図られている。電子化情報は、例えば機器内に備えられたハードディスクや半導体メモリ（ＦＬＡＳＨメモリ）等の固定記憶手段或いは機器に挿脱操作されて持ち運び自在な磁気テープ、光ディスクや光磁気ディスク、磁気ディスク等の可搬型記録媒体（以下、情報記録媒体と総称する。）に記録され、情報再生装置や情報記録再生装置（以下、情報記録再生装置と総称する。）よって再生されるとともに適宜の記録手段に記録される。
【０００３】
【発明が解決しようとする課題】
従来技術の場合、データの記録位置が固定のため、たとえディスクの中身がわからない人でもディスクのコピーが可能であり、解析等によりデータを解読される危険性があった。つまり、メディア自体にはデータの複製又は改竄のセキュリティ性がなかった。その理由は、スキャン方向が一定であるからである。
【０００４】
そこで、本発明の目的は、上述の如き従来の問題点に鑑み、データの複製又は改竄に対するセキュリティ性を高めた情報記録媒体及びこの情報記録媒体を用いて情報の記録及び／又は再生を行う情報記録方法、情報再生方法、情報記録再生方法、情報記録装置、情報再生装置、並びに情報記録再生装置を提供することにある。
【０００５】
【課題を解決するための手段】
すなわち、本発明に係る情報記録媒体は、読み取り可能な情報記録マークとして情報が記録される記録媒体層を有し、メイン情報と次のクラスタの移動情報とからクラスタを構成し、メイン情報がクラスタ単位に分割されて上記記録媒体層に記録されていることを特徴とする。
【０００６】
また、本発明に係る情報記録方法は、読み取り可能な情報記録マークとして情報が記録される記録媒体層を有する情報記録媒体に対し、メイン情報と次のクラスタの移動情報とからクラスタを構成し、メイン情報をクラスタ単位に分割して上記記録媒体層に記録することを特徴とする。
【０００７】
また、本発明に係る情報再生方法は、読み取り可能な情報記録マークとして情報が記録される記録媒体層を有し、メイン情報と次のクラスタの移動情報とからクラスタを構成し、メイン情報がクラスタ単位に分割されて上記記録媒体層に記録されている情報記録媒体からメイン情報を再生する情報再生方法であって、先頭クラスタを特定する再生許可情報に基づいて、上記情報記録媒体から先頭クラスタに含まれる次のクラスタの移動情報を読み取り、上記移動情報に基づいて上記情報記録媒体から次のクラスタに含まれるメイン情報と次のクラスタの移動情報を読み取り、上記情報記録媒体から各クラスタのメイン情報を順次読み取って再生することを特徴とする。
【０００８】
また、本発明に係る情報記録再生方法は、読み取り可能な情報記録マークとして情報が記録される記録媒体層を有する情報記録媒体に対し、メイン情報と次のクラスタの移動情報とからクラスタを構成し、メイン情報をクラスタ単位に分割して上記記録媒体層に記録し、先頭クラスタを特定する再生許可情報に基づいて、上記情報記録媒体から先頭クラスタに含まれる次のクラスタの移動情報を読み取り、上記移動情報に基づいて上記情報記録媒体から次のクラスタに含まれるメイン情報と次のクラスタの移動情報を読み取り、上記情報記録媒体から各クラスタのメイン情報を順次読み取って再生することを特徴とする。
【０００９】
また、本発明に係る情報記録装置は、情報が読み取り可能な情報記録マークとして記録される記録媒体層を有する情報記録媒体に対し、メイン情報をクラスタ単位に分割して上記記録媒体層に記録する情報記録装置であって、メイン情報をクラスタ単位に分割する分割手段と、上記分割手段により分割されたクラスタ単位のメイン情報に次のクラスタの移動情報を付加する移動情報付加手段と、上記移動情報付加手段により次のクラスタの移動情報が付加されたクラスタ単位のメイン情報を上記情報記録媒体の記録媒体層に記録する情報記録手段とを備え、メイン情報と次のクラスタの移動情報とからクラスタを構成し、メイン情報をクラスタ単位に分割して上記記録媒体層に記録することを特徴とする。
【００１０】
本発明に係る情報再生装置は、読み取り可能な情報記録マークとして情報が記録される記録媒体層を有し、メイン情報と次のクラスタの移動情報とからクラスタを構成し、メイン情報がクラスタ単位に分割されて上記記録媒体層に記録されている情報記録媒体からメイン情報を再生する情報再生装置であって、先頭クラスタを特定する再生許可情報に基づいて、上記情報記録媒体から先頭クラスタに含まれるメイン情報と次のクラスタの移動情報を読み取り、上記移動情報に基づいて上記情報記録媒体から次のクラスタに含まれるメイン情報と次のクラスタの移動情報を読み取る情報読み取り手段を備え、上記情報読み取り手段により、次のクラスタの移動情報に基づいて、上記情報記録媒体から各クラスタのメイン情報を順次読み取って再生することを特徴とする。
【００１１】
本発明に係る情報記録再生装置は、読み取り可能な情報記録マークとして情報が記録される記録媒体層を有する情報記録媒体に対し、メイン情報と次のクラスタの移動情報とからクラスタを構成し、メイン情報をクラスタ単位に分割して上記記録媒体層に書き込む情報書き込み手段と、先頭クラスタを特定する再生許可情報に基づいて、上記情報記録媒体から先頭クラスタに含まれる次のクラスタの移動情報を読み取り、上記移動情報に基づいて上記情報記録媒体から次のクラスタに含まれるメイン情報と次のクラスタの移動情報を読み取り、上記情報記録媒体から各クラスタのメイン情報を順次読み取って再生する情報読み取り手段とを備えることを特徴とする。
【００１２】
【発明の実施の形態】
以下、本発明の実施の形態について、図面を参照して詳細に説明する。
【００１３】
本発明は、例えば図１に示すような構成の情報記録／再生装置１０に適用される。
【００１４】
この情報記録／再生装置１０は、正方形の情報記録媒体３０を介して情報の記録／再生を行うもので、上記情報記録媒体３０の記録面全面に対して、情報の書き込み及び／又は読み取りを行う二次元ヘッド２０を備える。
【００１５】
上記正方形の情報記録媒体３０は、二次元ヘッド２０により情報の書き込み／読み取り可能な情報記録マークとして情報が記録される記録媒体層３１を有する。この情報記録媒体３０としては、図２に示すように光学的に読み取り可能な透過型情報記録マーク３１Ａとして情報が記録される透過型記録媒体層を有する光学的情報記録媒体３０Ａ、図３に示すように光学的に読み取り可能な反射型情報記録マーク３１Ｂとして情報が記録される反射型記録媒体層を有する光学的情報記録媒体３０Ｂ、図４に示すように電気的に読み取り可能な静電容量情報記録マーク３１Ｃとして情報が記録さる静電容量型記録媒体層を有する静電型情報記録媒体３０Ｃ、あるいは、図５に示すように磁気的に読み取り可能な磁性情報記録マークとして情報が記録される磁性記録媒体層を有する磁気的情報記録媒体３０Ｄ等を用いることができる。
【００１６】
このような構造の情報記録再生装置１０では、上記二次ヘッド２０により読み取り可能な情報記録マークとして情報を当該二次元ヘッド２０により情報記録媒体３０の記録媒体層３１に記録し、上記情報記録媒体３０の記録媒体層３１から上記二次元ヘッド２０により上記情報記録マークを読み取って情報を再生する。
【００１７】
ここで、この情報記録再生装置１０では、二次元ヘッド２０により、情報記録媒体３０の記録面全面に対して、情報の書き込み及び／又は読み取りを行う方式を採用することにより、上記情報記録媒体３０を、従来のＣＤ−ＲＯＭやＤＶＤのような円盤状情報記録媒体にする必要がなく、上記正方形などの自由な形状にすることができ、しかも、高速ランダムアクセス性を確保することができる。また、情報記録媒体の読み書き装置も従来のＣＤ−ＲＯＭやＤＶＤのような円盤を回転させるようなモータやピックアップを移動させるようなメカニズムも必要なくなるため、低消費電力で大容量・低コストかつコンパクトな情報記録媒体の読み書き装置を実現することができる。
【００１８】
図２に示す情報記録／再生装置１０Ａは、光学的に読み取り可能な透過型情報記録マーク３１Ａとして情報が記録される透過型記録媒体層を有する光学的情報記録媒体３０Ａを介して、情報の記録／再生を行うもので、上記光学的情報記録媒体３０Ａの記録面全面に対して、情報の書き込み及び／又は読み取りを光学的に行うためのフォトセンサアレイ２１Ａからなる二次元ヘッド２０Ａと平面光源２２を備える。
【００１９】
この情報記録／再生装置１０Ａでは、光学的に読み取り可能な透過型情報記録マーク３１Ａ（ここでは、ＣＤ−ＲＯＭやＤＶＤのようなピット構造で微細な穴を用いたもの）として情報が記録される透過型記録媒体層を有する光学的情報記録媒体３０Ａを挟んで上記二次元ヘッド２０Ａと平面光源２２を対向させて配置した構造とすることにより、平面光源２２からの光が通ったものを「１」、通らないものを「０」として、上記二次元ヘッド２０Ａにより上記情報記録マーク３１Ａを読み取って情報の再生を行う。ただし、この構造において、ＣＤ−ＲＯＭのような穴の大きさを「１」と「０」で変化させ、通った光量によっても判別することはできる。
【００２０】
また、図３に示す情報記録／再生装置１０Ｂは、光学的に読み取り可能な反射型情報記録マーク３１Ｂとして情報が記録される反射型記録媒体層を有する光学的情報記録媒体３０Ｂを介して、情報の記録／再生を行うもので、上記光学的情報記録媒体３０Ｂの記録面全面に対して、情報の書き込み及び／又は読み取りを行うための発光ダイオード（又は半導体レーザー）が一体とされたフォトセンサアレイ２１Ｂからなる二次元ヘッド２０Ｂを備える。
【００２１】
この情報記録／再生装置１０Ｂでは、発光ダイオード（又は半導体レーザー）が一体とされたフォトセンサアレイ２１Ｂからなる二次元ヘッド２０Ｂにおいて、光（又はレーザー光）の反射光を検知することにより、上記情報記録マーク３１Ｂを読み取って情報の再生を行う。
【００２２】
また、図４に示す情報記録／再生装置１０Ｃは、電気的に読み取り可能な静電容量情報記録マーク３１Ｃとして情報が記録される静電容量型記録媒体層を有する静電型情報記録媒体３０Ｃを介して、情報の記録／再生を行うもので、上記光学的情報記録媒体３０Ｃの記録面全面に対して、情報の書き込み及び／又は読み取りを行うための静電容量センサアレイ２１Ｃからなる二次元ヘッド２０Ｃを備える。
【００２３】
上記静電型情報記録媒体３０Ｃでは、アルミニウムなどの導電体の素材に穴（ピット）を開けることにより、電気的に読み取り可能な静電容量情報記録マーク３１Ｃとして情報が記録される。
【００２４】
すなわち、この上記静電型情報記録媒体３０Ｃにおける情報読み出しの原理は、静電容量情報記録マーク３１Ｃすなわち穴（ピット）のある無しによる静電容量（寄生容量）の違いを静電容量センサアレイ２１Ｃからなる二次元ヘッド２０Ｃにて検出して読み出すものである。静電容量センサは、ダイナミックランダムアクセスメモリ（ＤＲＡＭ）のメモリセルを読み出す原理とほぼ同じ原理で情報を読み出すことができる。
【００２５】
さらに、図５に示す情報記録／再生装置１０Ｄは、磁気的に読み取り可能な磁性情報記録マーク３１Ｄとして情報が記録される磁気的記録媒体層を有する磁気的情報記録媒体３０Ｄを介して、情報の記録／再生を行うもので、上記磁気的情報記録媒体３０Ｄの記録面全面に対して、情報の書き込み及び／又は読み取りを行うための磁気センサアレイ２１Ｄからなる二次元ヘッド２０Ｄを備える。
【００２６】
この情報記録／再生装置１０Ｄにおいて、磁気的情報記録媒体３０Ｄとしては、磁気ディスクや磁気テープのような磁性体を用いる。この磁気的情報記録媒体３０Ｄにおける情報の読み出し原理は、磁性体に記録された磁性情報記録マーク３１Ｄを磁気センサアレイ２１Ｄからなる二次元ヘッド２０Ｄにて検出して読み出し又は書き込みするものである。磁気センサは、マグネチックランダムアクセスメモリ（ＭＲＡＭ）のメモリーセル（フィライトコアを微細にしたもの）を読み出し又は書き込みする原理とほぼ同じ原理で情報を読み書きすることができる。
【００２７】
そして、上述の如き情報記録媒体３０を介して情報の記録再生を行う情報記録／再生装置１０では、二次元ヘッド２０を採用したことにより、上記情報記録媒体３０に対して高速ランダムアクセスを行うことができるので、例えば、図６に示すように、メイン情報(DATA)、次のスキャン方向の情報（スキャン方向情報）及びパリティにてクラスタを構成し、クラスタ単位で情報の書き込み／読み出しを行うようにすることによって、例えば図７に示すように、情報記録媒体３０のアドレス空間における先頭の読み出しアドレスを知らなければ、その情報記録媒体３０からメイン情報を読み出すことができないようにすることができる。
【００２８】
具体的には、著作権者の意図によりディスクに対するスキャン方向を変えることによって、著作権者の設定した情報を知らなければ、情報記録媒体の複製ができないだけでなく、信号をセンサで読み取ることもできないようにすることができる。物理的には、データの格納方向がランダムに変わるために、データの内容を読むこと無しにデータをスキャンすることができない。そのため、一律にスキャンしても情報記録媒体のデータを複製することができない。しかし、ＣＤのような型を用いた物理的なプレス機械を用いてスキャン方向が分かった金型を作成すれば、複製は容易にできる。
【００２９】
ここで、２次元情報記録媒体１１０への書き込み方法の概要を図８に示すとともに、２次元情報記録媒体１１０を用いて情報の書き込み／読み出しを行う情報記録／再生システム１００の基本構成を図９に示す。
【００３０】
この情報記録／再生システム１００は、固定の２次元情報記録媒体１１０に対して情報書き込みを行う固定の２次元書き込みヘッド１２０Ａを備える書き込み装置１３０及び固定の２次元情報記録媒体１１０から情報の読み出しを行う固定の２次元読み出しヘッド１２０Ｂを備える読み出し装置１４０からなる。
【００３１】
この情報記録／再生システム１００において、２次元情報記録媒体１１０内の情報群(d-1)と２次元ヘッド１２０のヘッドユニット群(d-2)は１対１で対応する。そして、２次元ヘッド１２０のヘッドユニット群(d-2)のある単位をクラスタ(d-3)という単位で分割する。さらに、２次元ヘッド１２０の単一クラスタ(d-3)の対応するデータのクラスタ(d-4)には、分割されたデータ(d-5)と次のクラスタの移動情報(d-6)が割り当てられている。
【００３２】
２次元情報記録媒体１１０のクラスタから次のクラスタへのスキップ情報の組合せは、以下の表１に示すものがある。
【００３３】
【表１】
0004062965.tif 000002
【００３４】
そして、上記各パラメータすなわちスキップ方向(d)、ｘスキップ値(x)、ｙスキップ値(y)を変化させることにより、２次元情報記録媒体１１０に記録された情報に秘匿性を付けることができる。
【００３５】
次に、データから２次元情報記録媒体１１０に書き込むクラスタの作成方法を図１０に示す。
【００３６】
すなわち、２次元情報記録媒体１１０には、次の手順１〜４に従ってデータがクラスタ単位で書き込まれる。
【００３７】
手順１．あるデータ列(Data)を２次元情報記録媒体１１０に書き込む。
【００３８】
手順２．データ列(Data)をクラスタ単位のデータ(Data1〜Data5)に分割する。
【００３９】
手順３．２次元情報記録媒体１１０上で次の分割データに移動するための移動情報（移動方向）を付ける。誤り訂正符号（パリティ）を付けて、セキュリティレベルによってはクラスタをシャフリングするなどして暗号化する。
【００４０】
手順４．次の移動情報に従って２次元情報記録媒体１１０に書き込む。
【００４１】
次に２次元情報記録媒体１１０への情報の読み込み／書き出し方法を説明する。
【００４２】
著作権者をＡとし、著作権者Ａが発行した２次元情報記録媒体１１０の利用者をＢとする。
【００４３】
書き込みを行う者すなわち著作権者Ａと読み出しを行う者すなわち利用者Ｂは共に認証番号が必要となり、書き込み装置１３０と読み出し装置１４０はシリアル番号を持っているとする。例として、暗号処理プログラム（例えばＰＧＰ）を用いて著作権者Ａに対する利用者Ｂのユーザ認証を行う。
【００４４】
１．著作権者Ａが利用者Ｂに認証を行って送るのは、ある単位のデータ列の情報記録媒体上の最初の位置とスキャン方向である。
【００４５】
２．認証を行う手段は、ネットワーク、有線、無線等のどの経路を用いても良い。
【００４６】
３．著作権者Ａが２次元情報記録媒体１１０に記録するデータは、単一の情報記録媒体の一部を使用しても全体を使用してもよい。一つのデータに一つの認証を行うが、単一の情報記録媒体に複数の認証されるデータが存在しても良い。
【００４７】
４．３．の定義により、単一の情報記録媒体であっても認証によって読めるデータと読めないデータが混在する２次元情報記録媒体１１０を作成することができる。
【００４８】
５．読み取りを行う者すなわち利用者Ｂが２次元情報記録媒体１１０のデータを読み取るときに、著作権者Ａが読み取りを行う者Ｂに最初の読み取り情報を送る必要があるので、著作権者Ａは読み取りを行う者Ｂの利用状況を管理できる。
【００４９】
この情報記録／再生システム１００では、図１１のフローチャートに示す手順に従って情報の記録再生が行われる。
【００５０】
すなわち、ステップＳ１では、著作権者Ａが書き込み装置１３０により２次元情報記録媒体１１０に情報を書き込む。
【００５１】
次のステップＳ２では、著作権者Ａが利用者Ｂに情報の読み出し許可を与える。
【００５２】
そして、次のステップＳ３では、利用者Ｂが読み出し装置１４０により２次元情報記録媒体１１０から情報を読み出す。
【００５３】
ここで、上記書き込み装置１３０は、図１２に示すように、データ(d1-1)を分割する分割処理部１３１、書き込み情報記憶部１３５により与えられるクラスタ移動情報を上記分割処理部１３１により分割されたデータ(d1-2)に付加するクラスタ移動情報付加部１３２、このクラスタ移動情報付加部１３２を介して与えられるデータ(d1-3)に所定のコーディック処理を施すコーデック部１３３、このコーデック部１３３によりコーディック処理が施されたデータ(d1-3)を２次元情報記録媒体１１０に記録する書き込み部１３４にて構成される。
【００５４】
この情報記録／再生システム１００において、上記ステップＳ１では、このような構成の書き込み装置１３０により、図１３のフローチャートに示す手順に従って情報を２次元情報記録媒体１１０に記録する。
【００５５】
すなわち、ステップＳ１１では、著作権者Ａの認証番号を設定する。
【００５６】
次のステップＳ１２では、上記分割処理部１３１によりデータ(d1-1)をクラスタ単位に分割する。
【００５７】
次のステップＳ１３では、上記クラスタ移動情報付加部１３２において、上記書き込み情報記憶部１３５により与えられるクラスタ移動情報を上記分割処理部１３１により分割されたデータ(d1-2)に付加する。
【００５８】
次のステップＳ１４では、上記コーデック部１３３において、上記クラスタ移動情報付加部１３１を介して与えられるデータ(d1-3)に所定のコーディック処理を施す。
【００５９】
そして、次のステップＳ１５では、上記書き込み部１３４において、上記コーデック部１３３によりコーディック処理が施されたデータ(d1-3)を２次元情報記録媒体１１０に記録する。
【００６０】
上記クラスタ移動情報付加部１３２におけるクラスタ移動情報の付加アルゴリズムとしては、例えば、手動設定、乱数あるいは一筆書き等による移動情報を作成するアルゴリズムを採用することができる。なお、各移動のさせ方には、表２に示すようなメリットがある。
【００６１】
【表２】
0004062965.tif 000003
【００６２】
書き込むデータとして、例えば音楽記録を例にとると、楽曲毎に別のスタート地点とスタート方向を持ち、ＴＯＣ (Table Of Contents)を持たない構造を採用することにより、一つの２次元情報記録媒体１１０でもユーザにより聴ける(認証する)曲が異なる配信を行うことができる。
【００６３】
また、楽曲毎に別のスタート地点とスタート方向を持ち、曲毎のスタート地点とスタート方向をデータとするＴＯＣ (Table Of Contents)も持つ構造を採用することにより、ユーザがＴＯＣに認証すれば、全曲をアクセスできる権利を得ることができる。
【００６４】
データ記録でも同様なことがいえる。すなわち、データ毎に別のスタート地点とスタート方向を持ち、ＴＯＣ (Table Of Contents)を持たない構造とすることにより、一つの２次元情報記録媒体１１０でもユーザによりアクセスできる(認証する)データが異なる配信を行うことができる。また、データ毎に別のスタート地点とスタート方向を持ち、データ毎のスタート地点とスタート方向情報をデータとするＴＯＣ (Table Of Contents)も持つ構造とすることにより、ユーザがＴＯＣに認証すれば、全データをアクセスできる権利を得ることができる。
【００６５】
次に、それぞれの書き込みアルゴリズムの説明をする。
【００６６】
先ず、クラスタ移動情報付加部１３２における一筆書きの手法による書き込みアルゴリズムの一例として、２次元情報記録媒体１１０に記録するデータ全体に対して、最初にデータを格納するデータ全体にまたがる大まかな記録方向曲線を決め、それに近い形でスキップ情報を付加してトレースする方式を説明する。データのクラスタ単位への分割は、上述の図１０に示した方法による。
【００６７】
すなわち、クラスタ移動情報付加部１３２において、図１４の（Ａ），（Ｂ）に示す手順１、手順２により、一筆書き関数によるスキップ情報付加処理が実行される。
【００６８】
２次元情報記録媒体１１０に記録する場合の大まかな記録方向を求める一筆書き関数の例を図１４の（Ａ）に示し、また、その関数に沿ったクラスタ分割並びにスキップ手法を図１４の（Ｂ）に示してある。
【００６９】
手順１では、２次元情報記録媒体１１０の一部に、クラスタの中心を通ってノコギリ波形を描く。ノコギリ波形の全体長がデータ長となる。
【００７０】
手順２では、各クラスタ毎に、ノコギリ波形に沿って次のスキップ情報を書き込みながらデータを格納する。
【００７１】
また、この情報記録／再生システム１００において、上記ステップＳ２における著作権者Ａが利用者Ｂに情報の読み出し許可を与える処理は、図１５のフローチャートに示す手順に従って実行される。
【００７２】
すなわち、ステップＳ２１では、著作権者Ａが公開鍵を公開する。
【００７３】
次のステップＳ２２では、利用者Ｂが著作権者Ａの公開鍵を使って利用者Ｂのユーザ情報(B,b)と利用者Ｂの公開鍵を送信する。
【００７４】
次のステップＳ２３では、著作権者Ａが著作権者Ａの秘密鍵を使って著作権者Ａのユーザ情報(B,b)を記録する。
【００７５】
次のステップＳ２４では、著作権者Ａが利用者Ｂの公開鍵を使って２次元情報記録媒体１１０のデータの開始位置とスキャン開始方向を送信する。
【００７６】
そして、次のステップＳ２５では、利用者Ｂが利用者Ｂの秘密鍵を使って２次元情報記録媒体１１０のデータの開始位置とスキャン開始方向を受信する。
【００７７】
ここで、上記読み出し装置１４０は、図１６に示すように、２次元情報記録媒体１１０から情報をクラスタ単位で読み出す読み出し部１４１、この読み出し部１４１により読み出されたクラスタを解析してクラスタ移動情報を抽出するクラスタ解析部１４２、上記クラスタ解析部１４２を介して供給されるクラスタのデータをデコードするデコード部１４３にて構成される。
【００７８】
そして、この情報記録／再生システム１００において、上記ステップＳ３では、このような構成の読み出し装置１４０により、図１７のフローチャートに示す手順に従って２次元情報記録媒体１１０から情報を読み出す。
【００７９】
すなわち、ステップＳ３１では、読み出し装置１４０が著作権者Ａからデータの開始位置とスキャン開始方向を示す開始データ(d2-6)を受信する。
【００８０】
次のステップＳ３２では、読み出し部１４１は、受信した開始データ(d2-6)に基づいてクラスタ開始位置に移動して２次元情報記録媒体１１０からクラスタの読み取りを行う。
【００８１】
そして、次のステップＳ３３では、読み出し部１４１により読み出されたクラスタをクラスタ解析部１４２により解析して、次のデータの方向を示すクラスタ移動情報が含まれているか否かを判定する。
【００８２】
上記ステップＳ３３における判定結果がＹＥＳすなわち次のデータの方向が含まれている場合には、上記ステップＳ３２に戻って、上記クラスタ解析部１４２により抽出されたクラスタ移動情報に基づいてクラスタの読み取る処理を繰り返し行う。また、上記ステップＳ３３における判定結果がＮＯすなわち次のデータの方向が含まれていない場合には、データの読み出しを終了する。
【００８３】
次に、上記クラスタ移動情報付加部１３２における乱数による書き込みアルゴリズムの一例として、２次元情報記録媒体１１０に記録するデータ全体に対して、分割されたクラスタ単位で逐次的にスキップ情報を付加する方式について説明する。例として、逐次的に乱数を発生する例を示す。
【００８４】
すなわち、クラスタ移動情報付加部１３２において、図１８のフローチャートに示す手順にしたがって、乱数によるスキップ情報付加処理が実行される。
【００８５】
２次元情報記録媒体１１０に記録する場合、ステップＳ４１において、スキップ値(x)の乱数発生を発生する。
【００８６】
次のステップＳ４２では、ｘスキップ方向(d)の乱数発生を発生する。
【００８７】
次のステップＳ４３では、ｙスキップ値(y)の乱数発生を発生する。
【００８８】
すなわち、上記ステップＳ４１〜ステップＳ４３にて、表１に示した各パラメータに対して乱数を発生させる。
次のステップＳ４４では、過去のクラスタに上書きしないか否かを判定する。
【００８９】
このステップＳ４４における判定結果がＮＯすなわち過去のクラスタに上書きする状態の場合には、上記ステップＳ４１に戻って、各パラメータに対して新たな乱数を発生させる。
【００９０】
すなわち、書き込み装置１３０の中に過去の書き込み位置を記憶しておき、それにクラスタの記録領域が重なるときは乱数発生をやり直す。
【００９１】
また、上記ステップＳ４４における判定結果がＹＥＳすなわち過去のクラスタに上書きしない場合には、次のステップＳ４５に移る。
【００９２】
ステップＳ４５では、データ終了であるか否かを判定する。
【００９３】
このステップＳ４５における判定結果がＮＯすなわちデータ終了でない場合には、上記ステップＳ４１に戻って、書き込みデータの終了まで、各パラメータに対して新たな乱数を繰り返し発生させる。
【００９４】
そして、上記ステップＳ４５における判定結果がＹＥＳすなわちデータ終了である場合にはスキップ付加処理を終了する。
【００９５】
次に、本発明を円盤状情報記録媒体を用いる情報記録／再生システムに適用した場合の実施の形態について説明する。
【００９６】
円盤状情報記録媒体２１０への書き込み方法の概要を図１９に示すとともに、円盤状情報記録媒体２１０を用いて情報の書き込み／読み出しを行う情報記録／再生システム２００の基本構成を図２０に示す。
【００９７】
この情報記録／再生システム２００は、回転する円盤状情報記録媒体２１０に対して情報書き込みを行う半径方向に移動する書き込みヘッド２２０Ａを備える書き込み装置２３０及び回転する円盤状情報記録媒体２１０から情報の読み出しを行う半径方向に移動する読み出しヘッド２２０Ｂを備える読み出し装置２４０からなる。
【００９８】
この情報記録／再生システム２００において、円盤状情報記録媒体２１０上にクラスタが記録される部分は、データ記録時に決まるクラスタ毎に回転半径が異なる切れ切れの弧のような状態となる。データ格納領域は円盤状情報記録媒体２１０内で一律ではない。従来の回転型光ディスクのような螺旋構造ではなく、従来の回転型磁気ディスクのような格納領域が固定なものでもない。
【００９９】
単一の円盤状情報記録媒体２１０に複数の開始点を持つ場合、それぞれのデータが円盤状情報記録媒体２１０内にばらばらな状態でランダムに入るので、円盤状情報記録媒体２１０上でデータのシャフリングのような効果が得られる。
【０１００】
円盤状情報記録媒体２１０のクラスタ中での次のクラスタへの移動情報の組合せは以下の表３に示すものがある。
【０１０１】
【表３】
0004062965.tif 000004
【０１０２】
そして、上記各パラメータすなわちスキップ値(x)、データ長(ｌ)を変化させることにより、円盤状情報記録媒体２１０に記録された情報に秘匿性を付けることができる。
【０１０３】
この円盤状情報記録媒体２１０は、上述の２次元情報記録媒体１１０の場合と同様な手順でデータがクラスタ単位で書き込まれ、読み出される。
【０１０４】
ただし、この情報記録／再生システム２００では、図２１の（Ａ），（Ｂ）に示す手順１、手順２により、一筆書き関数によるスキップ情報付加処理が実行される。
【０１０５】
円盤状情報記録媒体２１０に記録する場合の大まかな記録方向を求める一筆書き関数の例を図２１の（Ａ）に示し、また、その関数に沿ったクラスタ分割並びにスキップ手法を図２１の（Ｂ）に示してある。
【０１０６】
手順１．円盤状情報記録媒体２１０に彗星の軌道のような曲線を描く。
【０１０７】
手順２．曲線からの誤差が大きくない範囲で、弧と半径方向のスキップでスキャンの線を描く。書き方の一つの例を図２１の（Ｂ）に示してある。スタート地点で曲線と一致した点から同心円状にクラスタのスキャン弧を描き、弧ともとの曲線との半径方向の誤差が一定値を超えたらクラスタを終了して曲線上の次のクラスタにスキップする。
【０１０８】
手順３．過去のスキャン情報を覚えておき、次のクラスタが過去のピットを上書きしそうになったらスキャン位置を半径方向に少しずらして書き加える。
【０１０９】
次に、円盤状情報記録媒体２１０に対する乱数による書き込みアルゴリズムの一例として、円盤状情報記録媒体２１０に記録するデータ全体に対して、分割されたクラスタ単位で逐次的にスキップ情報を付加する方式について説明する。
【０１１０】
例えば、図２２のフローチャートに示す手順にしたがって、乱数によるスキップ情報付加処理が実行される。
【０１１１】
すなわち、円盤状情報記録媒体２１０に記録する場合、ステップＳ５１において、スキップ値(x)の乱数発生を発生する。
【０１１２】
次のステップＳ５２では、データ長(ｌ)の乱数発生を発生する。
【０１１３】
すなわち、上記ステップＳ５１〜ステップＳ５２にて、表３に示した各パラメータに対して乱数を発生させる。
次のステップＳ５３では、過去のクラスタに上書きしないか否かを判定する。
【０１１４】
このステップＳ５３における判定結果がＮＯすなわち過去のクラスタに上書きする状態の場合には、上記ステップＳ５１に戻って、各パラメータに対して新たな乱数を発生させる。
【０１１５】
また、上記ステップＳ５３における判定結果がＹＥＳすなわち過去のクラスタに上書きしない場合には、次のステップＳ５４に移る。
【０１１６】
ステップＳ５４では、データ終了であるか否かを判定する。
【０１１７】
このステップＳ５４における判定結果がＮＯすなわちデータ終了でない場合には、上記ステップＳ５１に戻って、書き込みデータの終了まで、各パラメータに対して新たな乱数を繰り返し発生させる。
【０１１８】
そして、上記ステップＳ５４における判定結果がＹＥＳすなわちデータ終了である場合にはスキップ付加処理を終了する。
【０１１９】
次に、本発明を二次元情報記録媒体と二次元ヘッドを二次元方向に相対移動させて情報の書き込み／読み出しを行うようにした実施の形態について説明する。
【０１２０】
二次元情報記録媒体３１０への書き込み方法の概要を図２３に示すとともに、二次元情報記録媒体３１０と二次元ヘッド３２０を二次元方向に相対移動させて情報の書き込み／読み出しを行う情報記録／再生システム３００の基本構成を図２４及び図２５に示す。
【０１２１】
図２４に示す情報記録／再生システム３００は、固定の二次元情報記録媒体３１０に対して情報書き込みを行う二次元方向に移動する書き込みヘッド３２０Ａを備える書き込み装置３３０及び固定の二次元情報記録媒体３１０から情報の読み出しを行う二次元方向に移動する読み出しヘッド３２０Ｂを備える読み出し装置３４０からなる。
【０１２２】
図２５に示す情報記録／再生システム３００は、二次元方向に移動する二次元情報記録媒体３１０に対して情報書き込みを行う固定の書き込みヘッド３２０Ａを備える書き込み装置３３０及び二次元方向に移動する二次元情報記録媒体３１０から情報の読み出しを行う固定の読み出しヘッド３２０Ｂを備える読み出し装置３４０からなる。
【０１２３】
この情報記録／再生システム３００において、二次元情報記録媒体３１０は固定で２次元ランダムスキャンのため、任意の形状とすることができる。二次元情報記録媒体３１０に対して二次元ヘッド３２０が相対移動すればよいので、逆に二次元ヘッド３２０を固定して二次元情報記録媒体３１０を動かしてもよい。
【０１２４】
また、単一の二次元情報記録媒体３１０に複数の開始点を持つ場合、書き込み側でそれぞれのデータエリアを自由に決めてデータ毎に別々の認証を与えることができる。
【０１２５】
二次元情報記録媒体３１０のクラスタから次のクラスタへのスキャン方向の組合せは以下の表４に示すものがある。
【０１２６】
【表４】
0004062965.tif 000005
【０１２７】
そして、上記各パラメータすなわちxスキップ方向(d)、スキップ値(ｘ)、ｙスキップ値(y)、データ長(ｌ)を変化させることにより、２次元情報記録媒体３１０に記録された情報に秘匿性を付けることができる。
【０１２８】
この二次元情報記録媒体３１０は、上述の２次元情報記録媒体１１０の場合と同様な手順でデータがクラスタ単位で書き込まれ、読み出される。
【０１２９】
ただし、この情報記録／再生システム３００では、図２６の（Ａ），（Ｂ）に示す手順１、手順２により、一筆書き関数によるスキップ情報付加処理が実行される。
【０１３０】
すなわち、図２６の（Ａ），（Ｂ）に示す手順１、手順２により、一筆書き関数によるスキップ情報付加処理が実行される。
【０１３１】
２次元情報記録媒体３１０に記録する場合の大まかな記録方向を求める一筆書き関数の例を図２６の（Ａ）に示し、また、その関数に沿ったクラスタ分割並びにスキップ手法を図２６の（Ｂ）に示してある。
【０１３２】
手順１では、２次元情報記録媒体３１０の一部に、水平垂直方向の長さの和がデータ長となるノコギリ波形を描く。
【０１３３】
手順２では、ノコギリ波形の水平/垂直部分にクラスタを配置し、斜め部分はクラスタ間のスキップとしてクラスタのスキップ情報に書き込む。
【０１３４】
次に、２次元情報記録媒体３１０に対する乱数による書き込みアルゴリズムの一例として、２次元情報記録媒体３１０に記録するデータ全体に対して、分割されたクラスタ単位で逐次的にスキップ情報を付加する方式について説明する。
【０１３５】
例えば、図２７のフローチャートに示す手順にしたがって、乱数によるスキップ情報付加処理が実行される。
【０１３６】
すなわち、２次元情報記録媒体３１０に記録する場合、ステップＳ６１において、スキャン方向(ｄ)の乱数発生を発生する。
【０１３７】
ステップＳ６２において、スキップ値(x)の乱数発生を発生する。
【０１３８】
次のステップＳ６３では、データ長(ｌ)の乱数発生を発生する。
【０１３９】
すなわち、上記ステップＳ６１〜ステップＳ６３にて、表４に示した各パラメータに対して乱数を発生させる。
次のステップＳ６４では、過去のクラスタに上書きしないか否かを判定する。
【０１４０】
このステップＳ６４における判定結果がＮＯすなわち過去のクラスタに上書きする状態の場合には、上記ステップＳ６１に戻って、各パラメータに対して新たな乱数を発生させる。
【０１４１】
また、上記ステップＳ６４における判定結果がＹＥＳすなわち過去のクラスタに上書きしない場合には、次のステップＳ６５に移る。
【０１４２】
ステップＳ６５では、データ終了であるか否かを判定する。
【０１４３】
このステップＳ６５における判定結果がＮＯすなわちデータ終了でない場合には、上記ステップＳ６１に戻って、書き込みデータの終了まで、各パラメータに対して新たな乱数を繰り返し発生させる。
【０１４４】
そして、上記ステップＳ６５における判定結果がＹＥＳすなわちデータ終了である場合にはスキップ付加処理を終了する。
【０１４５】
さらに、本発明は、テープ状情報記録媒体を介して情報の書き込み／読み出しを行う情報記録／再生システムに適用することもできる。
【０１４６】
テープ状情報記録媒体４１０への書き込み方法の概要を図２８，図２９，図３０に示す。
【０１４７】
図２８に示す情報記録／再生システム４００は、テープ状情報記録媒体４１０に対してヘリカルスキャンヘッド４２０により１トラックを１クラスタとしてクラスタ単位で情報の書き込み／読み出しを行うに当たり、スキャン角度を一定にして、ヘリカルスキャンヘッド４２０をスキップさせるスキップ値を変数として、各クラスタの相対距離を変えることにより、情報の秘匿性を確保するようにしたものである。各クラスタには、クラスタ移動情報として次のクラスタへのスキップ長が付加される。
【０１４８】
また、図２９に示す情報記録／再生システム４００は、テープ状情報記録媒体４１０に対してヘリカルスキャンヘッド４２０により１トラックを１クラスタとしてクラスタ単位で情報の書き込み／読み出しを行うに当たり、ヘリカルスキャンヘッド４２０によるテープ状情報記録媒体４１０のスキャン角度をクラスタ毎に変えることにより、情報の秘匿性を確保するようにしたものである。各クラスタには、クラスタ移動情報として次のクラスタのスキャン角度が付加される。
【０１４９】
さらに、図３０に示す情報記録／再生システム４００は、テープ状情報記録媒体４１０に対してヘリカルスキャンヘッド４２０により１トラックを１クラスタとしてクラスタ単位で情報の書き込み／読み出しを行うに当たり、クラスタ毎にデータ長を変えることにより、情報の秘匿性を確保するようにしたものである。各クラスタには、クラスタ移動情報として次のクラスタのデータ長が付加される。
【０１５０】
テープ情報情報記録媒体４１０のクラスタから次のクラスタへの移動情報の組合せには以下の表５に示すものがある。
【０１５１】
【表５】
0004062965.tif 000006
【０１５２】
そして、上記各パラメータすなわちスキップ値(ｘ)、スキャン角度(θ)、データ長(ｌ)を変化させることにより、テープ情報情報記録媒体４１０に記録された情報に秘匿性を付けることができる。
【０１５３】
このテープ情報情報記録媒体４１０では、上述の２次元情報記録媒体１１０の場合と同様な手順でデータがクラスタ単位で書き込まれ、読み出される。
【０１５４】
ただし、この情報記録／再生システム４００では、図３１の（Ａ），（Ｂ）に示す手順１、手順２により、一筆書き関数によるスキップ情報付加処理が実行される。
【０１５５】
すなわち、図３１の（Ａ），（Ｂ）に示す手順１、手順２により、一筆書き関数によるスキップ情報付加処理が実行される。
【０１５６】
テープ情報情報記録媒体４１０に記録する場合の大まかな記録方向を求める一筆書き関数の例を図３１の（Ａ）に示し、また、その関数に沿ったクラスタ分割並びにスキップ手法を図３１の（Ｂ）に示してある。
【０１５７】
手順１では、テープ情報情報記録媒体４１０上にヘリカルスキャンで書き込むデータ全体長を把握し、その長さを最大半径とする螺旋曲線を描く。
【０１５８】
手順２では、螺旋との交点で連続的に書き込むクラスタ群を切り、切れたクラスタ群に番号をつける。この場合、螺旋の中心に近いクラスタ群から先に番号をつける。
【０１５９】
手順３では、クラスタ群の中のクラスタは通常通りにスキャンして書き込み、クラスタ群の端のクラスタには次のクラスタまでのスキップ値を書き込む。
【０１６０】
次に、テープ情報情報記録媒体４１０に対する乱数による書き込みアルゴリズムの一例として、テープ情報情報記録媒体４１０に記録するデータ全体に対して、分割されたクラスタ単位で逐次的にスキップ情報を付加する方式について説明する。
【０１６１】
例えば、図３２のフローチャートに示す手順にしたがって、乱数によるスキップ情報付加処理が実行される。
【０１６２】
すなわち、テープ情報情報記録媒体４１０に記録する場合、ステップＳ７１において、スキップ値(x)の乱数発生を発生する。
【０１６３】
ステップＳ７２において、スキャン角度(θ)の乱数発生を発生する。
【０１６４】
次のステップＳ７３では、データ長(ｌ)の乱数発生を発生する。
【０１６５】
すなわち、上記ステップＳ７１〜ステップＳ７２にて、表５に示した各パラメータに対して乱数を発生させる。
次のステップＳ７４では、過去のクラスタに上書きしないか否かを判定する。
【０１６６】
このステップＳ７４における判定結果がＮＯすなわち過去のクラスタに上書きする状態の場合には、上記ステップＳ７１に戻って、各パラメータに対して新たな乱数を発生させる。
【０１６７】
また、上記ステップＳ７４における判定結果がＹＥＳすなわち過去のクラスタに上書きしない場合には、次のステップＳ７５に移る。
【０１６８】
ステップＳ７５では、データ終了であるか否かを判定する。
【０１６９】
このステップＳ７５における判定結果がＮＯすなわちデータ終了でない場合には、上記ステップＳ７１に戻って、書き込みデータの終了まで、各パラメータに対して新たな乱数を繰り返し発生させる。
【０１７０】
そして、上記ステップＳ７５における判定結果がＹＥＳすなわちデータ終了である場合にはスキップ付加処理を終了する。
【０１７１】
上述の如き構成の情報記録／再生システム１００，２００，３００，４００Ａ，４００Ｂ，４００Ｃ，では、スキャン方向を書き込み時の指定で変えることにより、２次元情報記録媒体１１０，円盤状情報記録媒体２１０，２次元情報記録媒体３１０，テープ状情報記録媒体４１０に次の表６に示すようなセキュリティ性を持たせることができる。
【０１７２】
【表６】
0004062965.tif 000007
【０１７３】
【発明の効果】
以上説明したように、本発明では、著作権者の意図により情報記録媒体に対するスキャン方向が変わることによって、著作権者の設定した情報を知らなければ、メディアの複製ができないだけでなく、信号をセンサで読み取ることもできないようにする。物理的には、データの格納方向がランダムに変わるために、データの内容を読むこと無しにデータをスキャンすることができない。そのため、一律にスキャンしても情報記録媒体のデータを複製することができない。しかし、ＣＤのような型を用いた物理的なプレス機械を用いてスキャン方向が分かった金型を作成すれば、複製は容易にできる。
【０１７４】
したがって、本発明によれば、データの複製又は改竄に対するセキュリティ性を高めた情報記録媒体及びこの情報記録媒体を用いて情報の記録及び／又は再生を行う情報記録方法、情報再生方法、情報記録再生方法、情報記録装置、情報再生装置、並びに情報記録再生装置を提供することができる。
【図面の簡単な説明】
【図１】本発明が適用される情報記録／再生装置の構成例を示すブロック図である。
【図２】本発明に係る透過型情報記録／再生装置の構成例を示すブロック図である。
【図３】本発明に係る反射型情報記録／再生装置の構成例を示すブロック図である。
【図４】本発明に係る静電容量型情報記録／再生装置の構成例を示すブロック図である。
【図５】本発明に係る磁気的情報記録／再生装置の構成例を示すブロック図である。
【図６】上記情報記録／再生装置により記情報記録媒体に記録される情報のクラスタ構成を示す図である。
【図７】上記情報記録／再生装置におけるメイン情報の読み出しのためのスキャン方向を模式的に示す図である。
【図８】２次元情報記録媒体への書き込み方法の概要を示す図である。
【図９】２次元情報記録媒体を用いて情報の書き込み／読み出しを行う情報記録／再生システムの基本構成を示す図である。
【図１０】データから２次元情報記録媒体に書き込むクラスタの作成方法を示す図である。
【図１１】上記情報記録／再生システムにおける情報の記録再生の手順を示すフローチャートである。
【図１２】上記情報記録／再生システムにおける書き込み装置の構成を示すブロック図である。
【図１３】上記書き込み装置による情報の書き込み手順を示すフローチャートである。
【図１４】上記書き込み装置による一筆書き関数によるスキップ情報付加処理を示す図である。
【図１５】上記情報記録／再生システムにおける読み出し許可を与える処理の手順を示すフローチャートである。
【図１６】上記情報記録／再生システムにおける読み出し装置の構成を示すブロック図である。
【図１７】上記読み出し装置による情報の読み出し手順を示すフローチャートである。
【図１８】上記情報記録／再生システムにおける乱数によるスキップ情報付加処理の手順を示すフローチャートである。
【図１９】円盤状情報記録媒体への書き込み方法の概要を示す図である。
【図２０】円盤状情報記録媒体を用いて情報の書き込み／読み出しを行う情報記録／再生システムの基本構成を示す図である。
【図２１】上記情報記録／再生システムにおける一筆書き関数によるスキップ情報付加処理を示す図である。
【図２２】上記情報記録／再生システムにおける乱数によるスキップ情報付加処理の手順を示すフローチャートである。
【図２３】二次元情報記録媒体への書き込み方法の概要を示す図である。
【図２４】二次元情報記録媒体と二次元ヘッドを二次元方向に相対移動させて情報の書き込み／読み出しを行う情報記録／再生システムの基本構成示す図である。
【図２５】二次元情報記録媒体と二次元ヘッドを二次元方向に相対移動させて情報の書き込み／読み出しを行う情報記録／再生システムの基本構成示す図である。
【図２６】上記情報記録／再生システムにおける一筆書き関数によるスキップ情報付加処理を示す図である。
【図２７】上記情報記録／再生システムにおける乱数によるスキップ情報付加処理の手順を示すフローチャートである。
【図２８】テープ状情報記録媒体への書き込み方法の概要を示す図である。
【図２９】テープ状情報記録媒体への書き込み方法の概要を示す図である。
【図３０】テープ状情報記録媒体への書き込み方法の概要を示す図である。
【図３１】テープ情報情報記録媒体を介して情報の書き込み／読み出しを行う情報記録／再生システムにおける一筆書き関数によるスキップ情報付加処理を示す図である。
【図３２】テープ情報情報記録媒体を介して情報の書き込み／読み出しを行う情報記録／再生システムにおける乱数によるスキップ情報付加処理の手順を示すフローチャートである。
【符号の説明】
１０，１０Ａ，１０Ｂ，１０Ｃ，１０Ｄ  情報記録／再生装置、２０，２０Ａ，２０Ｂ，２０Ｃ，２０Ｄ  二次元ヘッド、２１Ａ  フォトセンサアレイ、２１Ｂ  フォトセンサアレイ、２１Ｃ  静電容量センサアレイ、２１Ｄ  磁気センサアレイ、２２  平面光源、３０  情報記録媒体、３０Ａ  光学的情報記録媒体、３０Ｂ  光学的情報記録媒体、３０Ｃ  静電型情報記録媒体、３０Ｄ  磁気的情報記録媒体、３１  記録媒体層、３１Ａ  透過型情報記録マーク、３１Ｂ  反射型情報記録マーク、３１Ｃ  静電容量情報記録マーク、３１Ｄ  磁性情報記録マーク、１００  情報記録／再生システム、１１０  ２次元情報記録媒体、１２０Ａ ２次元書き込みヘッド、１２０  ２次元ヘッド、１２０Ｂ  ２次元読み出しヘッド、１３０  書き込み装置、１３１  分割処理部、１３２  クラスタ移動情報付加部、１３３  コーデック部、１３４  書き込み部、１３５  書き込み情報記憶部、１４０  読み出し装置、１４１  読み出し部、１４２  クラスタ解析部、１４３  デコード部、２００  情報記録／再生システム、２１０  円盤状情報記録媒体、２２０Ａ  書き込みヘッド、２２０Ｂ  読み出しヘッド、２３０  書き込み装置、２４０  読み出し装置、３００  情報記録／再生システム、３１０二次元情報記録媒体、３２０  二次元ヘッド、３２０Ａ  書き込みヘッド、３３０  書き込み装置、３２０Ｂ  読み出しヘッド、３４０  読み出し装置、４００  情報記録／再生システム、４１０  テープ状情報記録媒体、４２０  ヘリカルスキャンヘッド
【図１】
0004062965.tif 000008
【図２】
0004062965.tif 000009
【図３】
0004062965.tif 000010
【図４】
0004062965.tif 000011
【図５】
0004062965.tif 000012
【図６】
0004062965.tif 000013
【図７】
0004062965.tif 000014
【図８】
0004062965.tif 000015
【図９】
0004062965.tif 000016
【図１０】
0004062965.tif 000017
【図１１】
0004062965.tif 000018
【図１２】
0004062965.tif 000019
【図１３】
0004062965.tif 000020
【図１４】
0004062965.tif 000021
【図１５】
0004062965.tif 000022
【図１６】
0004062965.tif 000023
【図１７】
0004062965.tif 000024
【図１８】
0004062965.tif 000025
【図１９】
0004062965.tif 000026
【図２０】
0004062965.tif 000027
【図２１】
0004062965.tif 000028
【図２２】
0004062965.tif 000029
【図２３】
0004062965.tif 000030
【図２４】
0004062965.tif 000031
【図２５】
0004062965.tif 000032
【図２６】
0004062965.tif 000033
【図２７】
0004062965.tif 000034
【図２８】
0004062965.tif 000035
【図２９】
0004062965.tif 000036
【図３０】
0004062965.tif 000037
【図３１】
0004062965.tif 000038
【図３２】
0004062965.tif 000039